(57)【要約】【課題】本発明は、１つの有機ＥＬディスプレイモジュールで両面表示を可能にするものである。併せて、当該有機ＥＬディスプレイモジュールを備える情報端末を提供することを目的とする。【解決手段】本発明は、透明基板上に少なくとも透明電極と、有機エレクトロルミネセンス層と、金属電極とが形成されてなる有機エレクトロルミネセンスディスプレイ素子の２つが、前記金属電極の側で接合された両面表示有機エレクトロルミネセンスディスプレイモジュールとすることにより、両面表示を可能とする。【選択図】　図１
2004014316.tif 000002
【特許請求の範囲】
【請求項１】
透明基板上に少なくとも透明電極と、有機エレクトロルミネセンス層と、金属電極とが形成されてなる有機エレクトロルミネセンスディスプレイ素子の２つが、前記金属電極の側で接合された両面表示有機エレクトロルミネセンスディスプレイモジュール。
【請求項２】
透明基板上に少なくとも第一の透明電極と、第一の有機エレクトロルミネセンス層と、金属電極と、第二の有機エレクトロルミネセンス層と、第二の透明電極とが形成されてなる両面表示有機エレクトロルミネセンスディスプレイモジュール。
【請求項３】
請求項１、又は２において、２つの前記透明電極のそれぞれの電極端子と、前記金属電極の電極端子とが前記両面表示有機エレクトロルミネセンスディスプレイモジュールの異なる３方に配置された両面表示有機エレクトロルミネセンスディスプレイモジュール。
【請求項４】
請求項１乃至３のいずれかに記載の両面表示有機エレクトロルミネセンスディスプレイモジュールを備える情報端末。
【発明の詳細な説明】
【０００１】
【発明の属する技術分野】
本発明は、有機エレクトロルミネセンス（以後、「エレクトロルミネセンス」を「ＥＬ」と略記する）ディスプレイモジュール及び情報端末に関する。より詳細には、両面表示の必要な情報端末に組み込むための両面表示有機ＥＬディスプレイモジュールとその両面表示有機ＥＬディスプレイモジュールを備える情報端末に関する。
【０００２】
【従来の技術】
携帯電話やノート型パソコン等の開閉部を有する情報端末の普及に伴い、開閉部の表面と裏面の両面に表示部を設ける要請が高まってきた。一方、表示部には低消費電力で高輝度なディスプレイである自発光型の有機ＥＬディスプレイが期待されている。従来、有機ＥＬディスプレイモジュールを使用して情報端末の両面で表示をさせるには、表面用と裏面用の２つの有機ＥＬディスプレイモジュールを用意する必要があった。
【０００３】
従来の両面表示のための有機ＥＬ素子ディスプレイモジュールの構成を図７に示す。図７において、３１はガラス基板、３２は透明電極、３３は有機ＥＬ層、３４は金属電極である。金属電極３４は低仕事関数で電子注入の容易な金属をカソードとして使用するため、透明にすることが困難である。その一方、アノードとして使用する金属電極には高仕事関数で正孔注入の容易な金属が適するため、ＩＴＯ（Ｉｎｄｉｕｍ　Ｔｉｎ　Ｏｘｉｄｅ）等の透明化の容易な金属が使用できる。そのため、透明電極３２と金属電極３４の交点にある有機ＥＬ層でＥＬ発光した光は、ガラス基板３１の側から取り出される。金属電極３４の側からのＥＬ光の取り出しは困難なため、情報端末の両面で表示をさせるには、図７のごとく金属電極３４の側を背面として、２つの有機ＥＬディスプレイモジュールを個々に使用する構成であった。
【０００４】
【発明が解決しようとする課題】
以上説明したように、従来の有機ＥＬディスプレイモジュールの構造では、情報端末の両面で表示するために、有機ＥＬディスプレイモジュールが２つ必要であった。本発明は、このような問題を解決するために、１つの有機ＥＬディスプレイモジュールで両面表示を可能にするものである。併せて、当該有機ＥＬディスプレイモジュールを備える情報端末を提供することを目的とする。
【０００５】
【課題を解決するための手段】
前述した目的を達成するために、本願第一発明は、透明基板上に少なくとも透明電極と、有機ＥＬ層と、金属電極とが形成されてなる有機ＥＬディスプレイ素子の２つが、前記金属電極の側で接合された両面表示有機ＥＬディスプレイモジュールである。
【０００６】
本願第二発明は、透明基板上に少なくとも第一の透明電極と、第一の有機ＥＬ層と、金属電極と、第二の有機ＥＬ層と、第二の透明電極とが形成されてなる両面表示有機ＥＬディスプレイモジュールである。
【０００７】
本願第三発明は、本願第一発明又は第二発明において、２つの前記透明電極のそれぞれの電極端子と、前記金属電極の電極端子とが前記両面表示有機ＥＬディスプレイモジュールの異なる３方に配置された両面表示有機ＥＬディスプレイモジュールである。
【０００８】
本願第四発明は、本願第一乃至第三発明の両面表示有機ＥＬディスプレイモジュールのいずれかを備える情報端末である。
なお、情報端末には、携帯電話、ＰＤＡ（Ｐｅｒｓｏｎａｌ　Ｄｉｇｉｔａｌ　Ａｓｓｉｓｔａｎｔ）や映像撮影装置等の表示部を有する情報端末を含む。
【０００９】
【発明の実施の形態】
以下、本願発明の実施の形態について、添付の図面を参照して説明する。
（実施の形態１）
本発明は、２つの有機ＥＬディスプレイモジュールの金属電極の側を張り合わせることにより、両面表示を可能とするものである。本発明である両面表示有機ＥＬディスプレイモジュールの基本構造の断面を図１に示す。図１において、１１−１、１１−２は透明基板としてのガラス基板である。基板としては、ガラス基板の他に、フレキシブル基板、カラーフィルタや色変換材料が形成された基板を含む。１２−１、１２−２は透明電極である。透明電極材料としては、ＩＴＯ、インディウム亜鉛酸化物、酸化スズなどが適用できる。１３−１、１３−２は有機ＥＬ層であり、電子輸送層、有機ＥＬ発光層、正孔輸送層からなる。１４−１、１４−２は金属電極である。金属電極材料としては、Ａｌ、Ｌｉ、Ｍｇ又はこれらの合金を用いることができる。
【００１０】
金属電極１４−１と１４−２は双方の電極が重なり合うように、接合されている。金属電極１４−１と透明電極１２−１の間で電圧を印加すると、有機ＥＬ層１３−１のうち金属電極１４−１と透明電極１２−１の交点でＥＬ発光し、ガラス基板１１−１の方向からＥＬ光が出射する。同様に、金属電極１４−２と透明電極１２−２の間で電圧を印加すると、有機ＥＬ層１３−２のうち金属電極１４−２と透明電極１２−２の交点でＥＬ発光し、ガラス基板１１−２の方向からＥＬ光が出射する。このようにして、有機ＥＬディスプレイモジュールの両面で情報を表示できることになる。
【００１１】
本発明である両面表示有機ＥＬディスプレイモジュールの構成を図２に示す。図２において、１１−１、１１−２は透明基板としてのガラス基板、１２−１、１２−２は透明電極、１３−１、１３−２は有機ＥＬ層、１４−１、１４−２は金属電極である。
【００１２】
図２（ａ）に示すように、ガラス基板１１−１の上面に少なくとも透明電極１２−１、有機ＥＬ層１３−１、金属電極１４−１が順次形成されて一方の有機ＥＬディスプレイ素子が構成されている。他方の有機ＥＬディスプレイ素子も同様に、ガラス基板１１−２の上面に少なくとも透明電極１２−２、有機ＥＬ層１３−２、金属電極１４−２が順次形成されている。２つの有機ＥＬディスプレイ素子の金属電極同士が重なりあうように、両者を張り合わせる。張り合わせには、金属電極１４−１と１４−２の端子部分（図２（ａ）において、紙面上部の金属電極）に導電性粒子を混入した接着剤で接着する。金属電極の端子部分が導電性粒子により接触すると、金属電極は共通端子から駆動できるようになる。２つの有機ＥＬディスプレイ素子の精密な位置合わせを不要とするために、金属電極の端子部分以外の部分が接触しないように２つの有機ＥＬディスプレイ素子の間に絶縁層あるいは絶縁膜を設けてもよい。電極の抵抗を小さく、又は、２つの有機ＥＬディスプレイ素子の接着を強固にするために、金属電極の端子部分以外も接触するように導電性粒子を混入した接着剤で接着してもよい。また、両有機ＥＬ層から発光したＥＬ光がそれぞれガラス基板側からのみ出射するように、２つの有機ＥＬディスプレイ素子の間に不透明な膜、又は反射膜を設けてもよい。
【００１３】
２つの有機ＥＬディスプレイ素子を接着した両面表示有機ＥＬディスプレイモジュールを図２（ｂ）に示す。図２（ｂ）に示すように、一方の透明電極１２−１の端子部分と他方の透明電極１２−２の端子部分（図２（ｂ）では見えず）に駆動回路（図示せず）からの入力配線が接続される。金属電極１４−１の端子部分は共通端子となる。
【００１４】
本発明である両面表示有機ＥＬディスプレイモジュールの基本構造を図３に示す。図３（ａ）は平面図、図３（ｂ）は図３（ａ）のＡ−Ａ’線における断面図、図３（ｃ）は図３（ａ）のＢ−Ｂ’線における断面図である。図３において、１１−１、１１−２は透明基板としてのガラス基板、１２−１、１２−２は透明電極、１３−１、１３−２は有機ＥＬ層、１４−１、１４−２は金属電極である。図３において、ガラス基板１１−１の上面に形成された有機ＥＬ層１３−１のうち透明電極１２−１と金属電極１４−１との交点が画素となり、ガラス基板１１−２の上面に形成された有機ＥＬ層１３−２のうち透明電極１２−２と金属電極１４−２との交点が画素となるため、両面表示が可能となる。金属電極１４−１と１４−２は図３（ｃ）に示すように、共通の端子部分を持ち、透明電極１２−１と１２−２はそれぞれ端子部分を持つため、両面表示有機ＥＬディスプレイモジュールの異なる３方に電極端子を持たせ、これらの電極端子をガラス基板の棚部に形成すると、駆動回路からの入力配線が容易になる。
【００１５】
本実施の形態では、有機ＥＬディスプレイモジュールの２つの面が同じ大きさであるが、２つの面が異なる大きさの場合にも適用することができる。
従って、従来の片面表示の有機ＥＬディスプレイモジュールを２つ実装することに比較して、本発明の両面表示有機ＥＬディスプレイモジュールは薄型化を図ることができ、また、金属電極の端子が共通となるため、入力端子を削減することができた。
【００１６】
（実施の形態２）
本発明は、有機ＥＬディスプレイモジュールの金属電極を共通として、発光する有機ＥＬ層を２つ持たせることにより、両面表示を可能とするものである。本発明である両面表示の可能な有機ＥＬディスプレイモジュールの基本構造の断面を図４に示す。図４において、１１−１は透明基板としてのガラス基板である。基板としては、ガラス基板の他に、フレキシブル基板、カラーフィルタや色変換材料が形成された基板を含む。１２−３は第一の透明電極、１２−４は第二の透明電極である。透明電極材料としては、ＩＴＯ、インディウム亜鉛酸化物、酸化スズなどが適用できる。１３−３は第一の有機ＥＬ層、１３−４は第二の有機ＥＬ層であり、それぞれ、電子輸送層、有機ＥＬ発光層、正孔輸送層からなる。１４−３は金属電極であり、金属電極材料としては、Ａｌ、Ｌｉ、Ｍｇ又はこれらの合金を用いることができる。第二の透明電極の上面には、必要に応じて表面を封止又は安定化のために透明保護層を設けてもよい。
【００１７】
第一の有機ＥＬ層１３−３のうち第一の透明電極１２−３と金属電極１４−３との交点でＥＬ発光したＥＬ光はガラス基板１１−１の側から出射する。第二の有機ＥＬ層１３−４のうち第二の透明電極１２−４と金属電極１４−３との交点でＥＬ発光したＥＬ光は第二の透明電極１２−４の側から出射する。金属電極は２つの有機ＥＬ層に対して共通である。このようにして、有機ＥＬディスプレイモジュールの両面で情報を表示できることになる。
【００１８】
本発明である両面表示有機ＥＬディスプレイモジュールの基本構造を図５に示す。図５（ａ）は平面図、図５（ｂ）は図５（ａ）のＡ−Ａ’線における断面図、図５（ｃ）は図５（ａ）のＢ−Ｂ’線における断面図である。図５において、１１−１は透明基板としてのガラス基板、１２−３は第一の透明電極、１２−４は第二の透明電極、１３−３は第一の有機ＥＬ層、１３−４は第二の有機ＥＬ層、１４−３は金属電極である。図５において、ガラス基板１１−１の上面に形成された第一の有機ＥＬ層１３−３のうち第一の透明電極１２−３と金属電極１４−３の交点が画素となり、その上面に形成された第二の有機ＥＬ層１３−４のうち第二の透明電極１２−４と金属電極１４−３の交点が画素となるため、両面表示が可能となる。金属電極１４−３は図５（ｂ）、図５（ｃ）に示すように、両有機ＥＬ層に共通となり、第一の透明電極１２−３と第二の透明電極１２−４はそれぞれ端子部分を持つため、両面表示有機ＥＬディスプレイモジュールの異なる３方に電極端子を持たせ、これらの電極端子をガラス基板の棚部に形成すると、駆動回路からの入力配線が容易になる。
【００１９】
本実施の形態では、有機ＥＬディスプレイモジュールの２つの面が同じ大きさであるが、２つの面が異なる大きさの場合にも適用することができる。
従って、従来の片面表示の有機ＥＬディスプレイモジュールを２つ実装することに比較して、本発明の両面表示有機ＥＬディスプレイモジュールは同一のガラス基板上に総てを形成するため、一層の薄型化を図ることができ、また、金属電極の端子が共通となるため、入力端子を削減することができた。
【００２０】
（実施の形態３）
本発明は、前述した両面表示有機ＥＬディスプレイモジュールを備える携帯端末である。本発明である携帯端末の概略を図６に示す。図６において、２１は情報端末としての携帯端末、２２、２３は表示部である。図６（ａ）は携帯端末の蓋部を閉じた外形の概略図、図６（ｂ）は携帯端末の蓋部を開いた外形の概略図である。
【００２１】
携帯端末の蓋部外面の表示部２２には、有機ＥＬディスプレイモジュールの一方の面が表れ、蓋部内面の表示部２３には、有機ＥＬディスプレイモジュールの他方の面が表れる。従来構成の有機ＥＬディスプレイモジュールを２つ備える携帯端末に比較して、本発明の携帯端末は薄くすることができる。また、前述した両面表示有機ＥＬディスプレイモジュールは入力端子が少ないため、実装スペースも小さく、携帯端末を小型化することができる。
【００２２】
図６（ａ）のように、携帯端末の蓋部を閉じた状態の表示部２２と開いた状態の表示部２３では、上下又は左右反対の像が表示されている。同時に、両面を見ることがない携帯端末では、蓋部の開閉状態を検出して、蓋部が閉じた状態では表示部２２を表示させ、蓋部が開いた状態では表示部２３を表示させることもできる。表示させる像は看者から見て上下又は左右が正対するように、駆動回路で像反転を行うことが適している。また、蓋部が開いた状態で、両方の表示部を見る場合はいずれかの表示部での像が看者から見て正対するように選択して表示させることもできる。
【００２３】
本実施の形態では、有機ＥＬディスプレイモジュールの２つの面が異なる大きさであるが、２つの面が同じ大きさの場合にも適用することができる。また、携帯端末だけに限定されず、両面に表示機能を有する情報端末に適用できる。
従って、前述した両面表示有機ＥＬディスプレイモジュールを備える情報端末は、当該両面表示有機ＥＬディスプレイモジュールの表示部の厚さを薄くすることができた。
【００２４】
【発明の効果】
以上説明したように、本発明によれば、両面表示の有機ＥＬディスプレイモジュールにおいて入力端子を削減することができ、また、薄型化を図ることができる。
さらに、上記両面表示の有機ＥＬディスプレイモジュールを備える情報端末は、表示部の厚さを薄くすることができる。
【図面の簡単な説明】
【図１】本発明の両面表示有機ＥＬディスプレイモジュールの基本構造の断面図である。
【図２】本発明の両面表示有機ＥＬディスプレイモジュールの構成図である。
【図３】本発明の両面表示有機ＥＬディスプレイモジュールの基本構造図である。
【図４】本発明の両面表示有機ＥＬディスプレイモジュールの基本構造の断面図である。
【図５】本発明の両面表示有機ＥＬディスプレイモジュールの基本構造図である。
【図６】本発明の両面表示有機ＥＬディスプレイモジュールを備える携帯端末の概略図である。
【図７】従来の両面表示のための有機ＥＬ素子ディスプレイモジュールの構成図である。
【符号の説明】
１１−１、１１−２：ガラス基板
１２−１、１２−２、１２−３、１２−４：透明電極
１３−１、１３−２、１３−３、１３−４：有機ＥＬ層
１４−１、１４−２、１４−３：金属電極
２１：携帯端末
２２：表示部
２３：表示部
【図１】
2004014316.tif 000003
【図２】
2004014316.tif 000004
【図３】
2004014316.tif 000005
【図４】
2004014316.tif 000006
【図５】
2004014316.tif 000007
【図６】
2004014316.tif 000008
【図７】
2004014316.tif 000009